(57)【要約】【課題】クリーニングブレードの磨耗抑制とクリーニング性能の安定化とが図られたクリーニング装置および画像形成装置を提供すること。【解決手段】クリーニング装置は，クリーニングブレード６２を感光体ドラム２に当接させ，トナー１０を感光体ドラム２から回収する。また，クリーニング装置６は，クリーニングブレード６２のカット面６２ｃに１本の電極６３を備えている。電極６３は，感光体ドラム２の軸方向に対して平行となるように配置されている。電極６３には，ＤＣ電源が接続されており，所望のＤＣバイアスが印加される。クリーニングブレード６２のカット面６２ｃ周辺では，電極６３にＤＣバイアスが印加されることによって電界が形成される。【選択図】            図５
2008197415.tif 000002
【特許請求の範囲】
【請求項１】
先端面を像担持体に当接させ，当該像担持体上に付着するトナーを除去するクリーニングブレードを備えたクリーニング装置において，
前記クリーニングブレードの先端面上に位置し，前記像担持体の軸方向に平行配置された少なくとも１本の電極によって構成される電極群を有することを特徴とするクリーニング装置。
【請求項２】
請求項１に記載するクリーニング装置において，
前記電極群は，少なくとも２本の電極によって構成され，各電極に進行電界を形成する電圧が印加されることを特徴とするクリーニング装置。
【請求項３】
請求項２に記載するクリーニング装置において，
前記クリーニングブレードの，前記像担持体の移動方向の上流側の面に位置し，前記像担持体の軸方向に平行配置された少なくとも２本の電極によって構成される第２電極群を有し，
前記第２電極群の各電極に進行電界を形成する電圧が印加されることを特徴とするクリーニング装置。
【請求項４】
像担持体と，先端面が前記像担持体と当接し，前記像担持体上に付着するトナーを除去するクリーニングブレードとを備え，前記像担持体上にトナーとともに潤滑剤が供給される画像形成装置において，
前記クリーニングブレードの先端面に位置し，前記像担持体の軸方向に平行配置された少なくとも１本の電極によって構成される電極群を有することを特徴とする画像形成装置。
【発明の詳細な説明】
【技術分野】
【０００１】
本発明は，電子写真方式の画像形成装置に利用されるクリーニング装置に関する。さらに詳細には，クリーニングブレードを有し，潤滑剤の供給によってクリーニングブレードと像担持体との摩擦上昇を抑制するクリーニング装置およびそのクリーニング装置を備えた画像形成装置に関するものである。
【背景技術】
【０００２】
電子写真方式の画像形成装置では，像担持体（例えば，感光体ドラム）上にトナー像を形成し，そのトナー像を転写体（例えば，普通紙）に転写している。このトナー像の転写では，トナーの鏡像力や転写電界のばらつき等が原因となり，一部のトナーが像担持体上に残留する。そのため，転写領域の下流にクリーニング部材を設置し，このクリーニング部材によって像担持体上のトナーを除去している。
【０００３】
クリーニング部材としては，ウレタンゴム等の弾性部材からなるクリーニングブレードを利用し，その先端面（カット面）のエッジを像担持体の表面に当接させ，像担持体の表面に付着した現像剤を掻き取るものが知られている。クリーニングブレードは，構成が簡易であることや，現像剤の除去が効率的であることが利点とされている。
【０００４】
また，近年，画像プロセスの高速化が要請されており，クリーニング部材のクリーニング性能のさらなる向上が求められている。一般的に，クリーニングブレードの像担持体に対する押圧力を高くすると，クリーニング性能は向上する。一方で，その押圧力を高くするほど摩擦力の上昇を招き，クリーニングブレードの磨耗や像担持体表面の膜割れ等を誘発する。そのため，クリーニングブレードや像担持体の寿命が低減する。
【０００５】
この問題に対して，像担持体上に潤滑剤を供給する技術が提案されている。すなわち，クリーニングブレードと像担持体との圧接部に潤滑剤による静止層を形成し，クリーニングブレードと像担持体との摩擦上昇を抑える。また，静止層は，微小粒子の通過を抑制することができ，クリーニング性能の向上にも資する。潤滑剤としては，一般的に脂肪酸やその金属塩などが利用される。
【０００６】
前記した潤滑剤を供給する技術として，例えば特許文献１には，像担持体上に潤滑剤を供給する機構を備えたクリーニング装置が開示されている。しかし，特許文献１に開示された画像形成装置では，潤滑剤を供給するシステムとして，金属石鹸（潤滑剤），その金属石鹸を掻き削るクリーニングブラシ，そのクリーニングブラシに付着したトナーを振り落とすフリッカー等が必要となる。そのため，省スペース化，低コスト化に不利となる。そこで，例えば特許文献２には，トナーに多量の外添剤（潤滑剤）を添加し，さらに画像形成処理に先立って当該外添剤をクリーニングブレードに供給する画像形成装置が開示されている。特許文献２に開示された画像形成装置では，潤滑剤を塗布するための特別な装置を設ける必要がなく，装置のコンパクト化を妨げない。
【特許文献１】特開２００３−５８００９号公報
【特許文献２】特開２００２−１０８１３４号公報
【発明の開示】
【発明が解決しようとする課題】
【０００７】
しかしながら，前記した従来の画像形成装置には，次のような問題があった。すなわち，近年，重合法によって形成されたトナーが広く利用されている。この重合法によるトナーは，小径かつ球形であり，この重合トナーを掻き取るには高いクリーニング性能が要求される。そのため，クリーニングブレードの押圧力を高くするとともに，潤滑剤による静止層を確実に形成することが望まれる。
【０００８】
しかし，重合法によるトナーは，一般的に潤滑剤との吸着力が強く，潤滑剤が分離し難い。そのため，潤滑剤をトナーとともに供給しても，その潤滑剤はトナーから分離することなくトナーとともにクリーニング部材に回収されてしまう。よって，潤滑剤が不足し，静止層の形成が不安定になる。その結果，クリーニング性能を損ねるとともに，クリーニングブレードや像担持体の減耗が促進されることになる。
【０００９】
本発明は，前記した従来の技術が有する問題点を解決するためになされたものである。すなわちその課題とするところは，クリーニングブレードの磨耗抑制とクリーニング性能の安定化とが図られたクリーニング装置および画像形成装置を提供することにある。
【課題を解決するための手段】
【００１０】
この課題の解決を目的としてなされたクリーニング装置は，先端面を像担持体に当接させ，当該像担持体上に付着するトナーを除去するクリーニングブレードを備えたクリーニング装置であって，クリーニングブレードの先端面上に位置し，像担持体の軸方向に平行配置された少なくとも１本の電極によって構成される電極群を有することを特徴としている。
【００１１】
本発明のクリーニング装置は，クリーニングブレードによって像担持体上のトナーを掻き取るものであり，当該クリーニングブレードの先端面に少なくとも１本の電極によって構成される電極群を有している。これらの電極に所望のバイアスを印加することによりクリーニングブレードの先端面周辺には電界が形成される。クリーニングブレードの位置まで搬送されたトナーは，当該電界によって揺動することになり，トナーに付着している潤滑剤を分離する。すなわち，トナーを揺動させることで確実に潤滑剤を分離させることができ，潤滑剤による静止層が確実に形成される。
【００１２】
また，本発明のクリーニング装置の電極群は，少なくとも２本の電極によって構成され，各電極に進行電界を形成する電圧が印加されることとするとよりよい。すなわち，電極群によって像担持体の移動方向の上流側に向かって進行する進行電界を形成することで，クリーニングブレードの先端面付近のトナーは，揺動しつつ進行電界の進行方向に従ってクリーニングブレードと像担持体との当接箇所から離れる。よって，トナーが当該当接箇所に滞留することが抑制され，トナーが確実に回収される。
【００１３】
また，本発明のクリーニング装置は，クリーニングブレードの表裏面のうち，像担持体の移動方向の上流側の面に位置し，像担持体の軸方向に平行配置された少なくとも２本の電極によって構成される第２電極群を有し，第２電極群の各電極に進行電界を形成する電圧が印加されることとするとよりよい。すなわち，第２電極群が形成する電界によって，クリーニングブレードの先端面の上流側に搬送されたトナーがさらにクリーニングブレードの上流面側に搬送される。これにより，トナーが回収容器側に近づき，トナーの回収がより容易となる。
【００１４】
また，本発明は，像担持体と，先端面が像担持体と当接し，当該像担持体上に付着するトナーを除去するクリーニングブレードとを備え，像担持体上にトナーとともに潤滑剤が供給される画像形成装置であって，クリーニングブレードの先端面に位置し，像担持体の軸方向に平行配置された少なくとも１本の電極によって構成される電極群を有することを特徴とする画像形成装置を含んでいる。
【発明の効果】
【００１５】
本発明によれば，クリーニングブレードの磨耗抑制とクリーニング性能の安定化とが図られたクリーニング装置および画像形成装置が提供されている。
【発明を実施するための最良の形態】
【００１６】
以下，本発明にかかる画像形成装置を具体化した実施の形態について，添付図面を参照しつつ詳細に説明する。本形態は，電子写真方式のプリンタのクリーニング装置に本発明を適用したものである。
【００１７】
［第１の形態］
本形態の画像形成装置は，タンデム方式のフルカラープリンタであり，図１に示すように並列に配置された４つの画像形成ユニットを有するものである。具体的に，本形態のカラープリンタ１００は，４色の画像形成ユニット１Ｋ，１Ｃ，１Ｍ，１Ｙを有している。また，その他に中間転写ベルト８，２次転写ローラ５０，クリーニングブレード６０，定着装置９等を有している。各画像形成ユニットは，中間転写ベルト８上に各色の画像を形成するものである。各画像形成ユニットは，画像形成ユニット１Ｋがブラック（Ｋ），画像形成ユニット１Ｃがシアン（Ｃ），画像形成ユニット１Ｍがマゼンタ（Ｍ），画像形成ユニット１Ｙがイエロー（Ｙ）の各色に対応している。なお，各画像形成ユニットの配置は図１の順序に限定されるものではない。
【００１８】
また，画像形成ユニット１Ｋは，図２に示すように，回転ドラム型の電子写真感光体であり，負帯電性の有機光導電体（ＯＰＣ）である感光体ドラム２を有している。感光体ドラム２は，図２中の矢印方向に一定の速度で回転するようになっている。また，感光体ドラム２の周囲には，その回転方向に沿って，帯電装置３，現像装置４，転写装置５，クリーニング装置６が順次配置されている。なお，帯電装置３と現像装置４との間には，潜像が形成される露光エリアが設けられている。その他の画像形成ユニットについても同様の構成となっている。
【００１９】
本形態のカラープリンタ１００は，帯電装置３に対して直流バイアス（以下，帯電装置に印加するバイアスを「帯電バイアス」とする）を印加するためのバイアス印加部３１と，現像装置４に対して直流電圧と交流電圧とを重畳した振動バイアス（以下，現像装置に印加するバイアスを「現像バイアス」とする）を印加するためのバイアス印加部４１と，帯電バイアスおよび現像バイアスを制御する制御部７とを備えている。バイアス印加部３１およびバイアス印加部４１は，バイアス値の切り換えが可能である。なお，不図示であるが転写装置５にも電源が接続されており，所定のバイアスが印加される。
【００２０】
帯電装置３は，感光体ドラム２の表面を均一に帯電させるものである。本形態では，−１１００Ｖの直流バイアスを印加し，感光体ドラム２の表面を−５００Ｖに一様に接触帯電処理する。帯電装置３としては，コロナ放電により帯電させる非接触方式のコロナ帯電装置の他，導電性の接触帯電部材を感光体ドラム２の表面に接触させて帯電させる接触方式の帯電装置が適用可能である。本形態では，ローラ型の接触帯電装置を適用する。また，帯電バイアスは，直流電圧に限るものではなく，直流電圧や交流電圧であってもよいし，直流電圧に交流電圧を重畳した振動電圧であってもよい。また，パルス電圧，その他の波形の電圧でもよい。
【００２１】
現像装置４は，感光体ドラム２上の静電潜像を現像し，トナー像を形成するものである。本形態の現像装置４は，現像剤担持体である現像ローラを感光体ドラム２に接触させない非接触型であるが，接触型であってもよい。また，本形態の現像装置４の現像方式は，キャリアを含まない非磁性１成分現像方式であり，負帯電性トナーを使用する。本形態では，平均粒径が８μｍ程度，帯電摩擦量が−３８μＣ／ｇであり，重合法によって形成されたトナーを適用する。
【００２２】
また，図３に示すように，本形態で使用するトナー１０には，２種類の外添剤１１，１２が添加されており，トナー１０に対して，外添剤１１の添加量が０．０５〜２．０重量％，外添剤１２の添加量が０．１〜３．０重量％で処理されている。外添剤１１としては，平均粒径が８ｎｍ程度，帯電摩擦量が−１１０μＣ／ｇの疎水性シリカを適用する（以下，「第１外添剤１１」とする）。第１外添剤１１により，良好なトナー帯電性が得られる。外添剤１２としては，平均粒径が０．５μｍ程度，帯電摩擦量が＋４０μＣ／ｇのＰＭＭＡ粒子を適用する（以下，「第２外添剤１２」とする）。第２外添剤１２により，良好なトナー流動性が得られる。さらに，第２外添剤１２は，感光体ドラム２上に供給された後，クリーニング装置６に対する潤滑剤として機能する。
【００２３】
なお，本形態では，疎水性シリカとプラス荷電粒子との２種類の外添剤を添加しているが，外添剤は２種類以上であればよく２種類に限定するものではない。また，本形態では，負帯電性トナーを使用するが，トナー像の現像が可能であれば，正帯電性トナーであってもよい。
【００２４】
また，現像バイアスは，現像処理可能なものであればどのようなものであってもよい。例えば，直流電圧や交流電圧であってもよいし，直流電圧に交流電圧を重畳した振動電圧であってもよい。また，パルス電圧，その他の波形の電圧でもよい。本形態では，Ｖｄｃが−３００Ｖ，Ｖｐｐが１５００Ｖ，周波数が２ｋＨｚ，デューティが３０％（マイナス成分が３０％）の振動バイアスを印加する。
【００２５】
クリーニング装置６は，図４に示すように，トナーを収容する廃トナーボックス６１と，感光体ドラム２に当接して転写残トナーや微粉体等を感光体ドラム２から除去するクリーニングブレード６２とを備えている。クリーニングブレード６２は，その先端面（カット面）のエッジ部が感光体ドラム２に当接し，感光体ドラム２に対しておよそ３０Ｎ／ｍの押圧力で当接している。クリーニングブレード６２の材質としてはウレタンゴムが適用可能である。なお，クリーニングブレード６２は，接地されていてもよいし，電気的にフローティング状態であってもよい。クリーニング装置６の詳細については後述する。
【００２６】
続いて，本形態のカラープリンタ１００の画像形成動作について説明する。まず，帯電装置３の帯電バイアスにより，感光体ドラム２の表面が−５００Ｖに帯電される。次に，露光エリアにて１ページ目の潜像が形成される。露光手段としては，静電潜像を形成可能なものであればよく，例えばレーザ露光が適用可能である。
【００２７】
次に，現像装置４により，負帯電性のトナーによる現像が行われ，感光体ドラム２上に１ページ目のトナー像が形成される。次に，転写装置５により，１ページ目のトナー像が中間転写ベルト８上に転写される。すなわち，感光体ドラム２上のトナーは，転写装置５のプラスバイアスにより中間転写ベルト８に転写される。このとき，一部のトナーは，転写されずに感光体ドラム２上に残留し転写残トナーとなる。
【００２８】
次に，クリーニング装置６により，転写残トナーが掻き取られて回収される。また，転写残トナーの回収時，転写残トナーから外添剤が離脱する。このうち，第２外添剤１２は，図５に示すように，クリーニングブレード６２によって移動を遮られ，クリーニングブレード６２と感光体ドラム２との当接部であってその上流側の位置に静止層１２０を形成する。そして，静止層１２０により，クリーニングブレード６２と感光体ドラム２との摩擦上昇を抑制する。
【００２９】
このような動作を画像形成ユニットごとに繰り返し，中間転写ベルト８上にそれぞれの色のトナー画像を重ねる。そして，４色のトナー像が重ね合わせられることにより，中間転写ベルト８上にカラー画像が形成される。このカラー画像が２次転写ローラ５０にて記録紙に転写される。そして，その記録紙が定着装置９を介して排出トレイに出力される。
【００３０】
続いて，クリーニング装置６について詳説する。クリーニング装置６は，図５に示したうに，クリーニングブレード６２のカット面６２ｃ（クリーニングブレード６２の先端面であり，感光体ドラム２のクリーニングブレード６２との当接部よりも回転方向上流側の部分と対向する面）のエッジ部を感光体ドラム２に当接させ，感光体ドラム２の表面に付着するトナーを感光体ドラム２から回収する。回収されるトナーは，必ずしも転写残トナーだけではなく，例えば静止層１２０を形成する際に潤滑剤とともに搬送されるトナーが該当する。
【００３１】
また，クリーニング装置６は，図６に示すように，クリーニングブレード６２のカット面６２ｃに１本の電極６３を備えている。電極６３は，幅が１ｍｍ程度であり，感光体ドラム２の軸方向に対して平行となるように配置されている。
【００３２】
電極６３は，ＤＣ電源と接続されており，−１００ＶのＤＣバイアスが印加される。クリーニングブレード６２のカット面６２ｃ周辺では，電極６３にＤＣバイアスが印加されることによって電界が形成される。クリーニングブレード６２によって掻き取られたトナー１０は，この電界によって感光体ドラム２の表面とクリーニングブレード６２のカット面６２ｃとの間で揺動することになる。このトナー１０の揺動により，トナー１０に付着した潤滑剤（第２外添剤１２）が遊離する。その後，潤滑剤が分離したトナー１０は，廃トナーボックス６１に回収される。一方，遊離した潤滑剤は，クリーニングブレード６２と感光体ドラム２との当接箇所に移動し，その上流側で静止層１２０を形成する。
【００３３】
以上詳細に説明したように本形態のクリーニング装置６では，クリーニングブレード６２のカット面６２ｃにＤＣ電源と接続された電極６３を配設することとしている。そして，電極６３の周辺に形成される電界によってトナー１０を揺動させることとしている。これにより，トナーに付着した第２外添剤１２，すなわち潤滑剤を確実に遊離することができ，クリーニングブレード６２と感光体ドラム２との当接箇所に静止層１２０が確実に形成される。よって，摩擦力の上昇が確実に抑制され，微粒子の通過も抑制される。従って，クリーニングブレードの磨耗抑制とクリーニング性能の安定化とが図られたクリーニング装置が実現している。
【００３４】
また，本形態のクリーニング装置６では，潤滑剤である第２外添剤１２がトナーとともに現像装置４から供給される。そのため，潤滑剤を塗布するための特別な装置を設ける必要がなく，装置のコンパクト化を妨げない。
【００３５】
［第２の形態］
本形態のクリーニング装置は，図７に示すように，クリーニングブレード６２のカット面６２ｃに位置する６本の電極群６４と，感光体ドラム２の回転方向上流側の面６２ａ（上流面６２ａ）に位置し，カット面６２ｃの電極群６４と連続配置された３本の電極群６５とを備えている。各電極は，幅が１００μｍ程度であり，電極間隔が２００μｍであり，感光体ドラム２の軸方向に対して平行となるようにストライプ状に配置されている。この点，１本の電極によって構成される第１の形態とは異なる。なお，各電極群を構成する電極のサイズ，配置，本数は本形態に限定するものではない。
【００３６】
電極群６４，６５には，図８に示すように，スイッチング装置６６を介してＤＣ電源６７が接続されている。スイッチング装置６６は，３つの端子６６１，６６２，６６３を有し，各端子に０．１秒間隔で順次に−１００ＶのＤＣバイアスが印加されるようにスイッチングする。電極群６４，６５を構成する電極は，１本ずつ順に端子６６１，６６２，６６３に繋がれており，電極群６４，６５へ順次にバイアスが印加されることで，クリーニングブレード６２のカット面６２ｃ周辺には進行波形の電界（いわゆる電界カーテン）が形成される。
【００３７】
クリーニングブレード６２によって掻き取られたトナー１０は，この進行電界によって揺動するとともに上流面６２ａに向かって搬送され，廃トナーボックス６１に回収される。すなわち，クリーニングブレード６２に到達したトナーは，まず，電極群６４が形成する進行電界によってカット面６２ｃの上流面６２ａ側に搬送される。このことから，クリーニングブレード６２の当接部付近でのトナー１０の滞留が抑制される。さらに，当該トナーは，電極群６５が形成する進行電界によって上流面６２ａ側に搬送される。これにより，トナー１０の回収が容易となる。また，トナー１０が揺動することにより，トナー１０に付着した潤滑剤（第２外添剤１２）が遊離する。一方，遊離した潤滑剤は，クリーニングブレード６２と感光体ドラム２との当接箇所に移動し，その上流側で静止層１２０を形成する。
【００３８】
図９は，ＤＣバイアスをスイッチングさせた際の，経過時間とトナーの進行距離との関係を示している。なお，本シミュレーションでは，Ｖｄｃを２５Ｖ，電極間距離を０．００１ｍｍとしている。本シミュレーション結果が示すように，０．１秒後には１．０ｍｍ以上，０．２秒後には４．５ｍｍ以上移動することから，ＤＣバイアスをスイッチングさせた際の進行電界がトナーの搬送に有効であることがわかる。
【００３９】
以上詳細に説明したように本形態のクリーニング装置では，クリーニングブレード６２のカット面６２ｃおよび上流面６２ａに複数の電極によって構成された電極群６４，６５を配置することとしている。そして，電極群６４，６５への印加バイアスをスイッチングすることによって，進行波形の電界を形成することとしている。そして，この上流面６２ａに向かって進行する進行電界によってトナー１０を揺動させるとともに移動させることとしている。これにより，トナーに付着した外添剤を確実に遊離することができ，クリーニングブレード６２と感光体ドラム２との当接箇所に形成される静止層１２０が十分に構成される。従って，クリーニングブレードの磨耗抑制とクリーニング性能の安定化とが図られる。さらに，トナー１０を上流面６２ａ側，すなわち廃トナーボックス６１に向かって搬送することができ，トナー１０のカット面６２ｃ付近での滞留を防ぐとともに廃トナーボックス６１への回収を容易にしている。
【００４０】
［第３の形態］
本形態のクリーニング装置は，クリーニングブレード６２および電極群６４，６５の配置は第２の形態と同様である。そして，電極群６４，６５には，図１０に示すように，ＡＣ電源６８が接続されている。この点，ＤＣバイアスを所定の周期でスイッチングする第２の形態と異なる。
【００４１】
電極群６４，６５を構成する各電極には，振幅と周波数が同一であって，位相が順々に２π／ｎ（ｎ＝所定の電極数）ずれたＡＣバイアスが印加される。ピーク間電圧Ｖｐｐは電極間をトナーが適切に移動できるように１０Ｖ〜１０００Ｖの範囲で設定される。電極群６４，６５にＡＣバイアスを印加することで，クリーニングブレード６２のカット面６２ｃ周辺には進行電界が形成される。クリーニングブレード６２によって掻き取られたトナー１０は，この進行電界によって揺動するとともに上流面６２ａに向かって搬送され，廃トナーボックス６１に回収される。トナー１０が搬送されることから，カット面６３ｃ付近でのトナーの滞留が抑制される。また，このトナーの揺動により，トナーに付着した潤滑剤が遊離する。一方，遊離した潤滑剤は，クリーニングブレード６２と感光体ドラム２との当接箇所に移動し，その上流側で静止層１２０を形成する。
【００４２】
そして，潤滑剤を分離したトナーは，揺動しながら搬送され，廃トナーボックス６１に回収される。図１１は，ＡＣバイアスを印加した際の，経過時間とトナーの進行距離との関係を示している。なお，本シミュレーションでは，Ｖｐｐを１００Ｖ，電極間距離を０．０００２ｍｍ，周波数を２０Ｈｚとし，さらには図１２に示すように，位相が１２０度ずれた３相交流電圧を利用している。本シミュレーション結果が示すように，０．１秒後には２．０ｍｍ以上，０．２秒後には４．５ｍｍ以上移動することから，本形態の進行波形の電界がトナーの搬送に有効であることがわかる。
【００４３】
以上詳細に説明したように本形態のクリーニング装置では，クリーニングブレード６２のカット面６２ｃおよび上流面６２ａに複数の電極によって構成された電極群６４，６５を配置することとしている。そして，電極群６４，６５へのＡＣバイアスを印加することによって，進行電界を形成することとしている。そして，この上流面６２ａに向かって進行する電界によってトナー１０を揺動させることとしている。これにより，トナーに付着した潤滑剤を確実に遊離することができ，クリーニングブレード６２と感光体ドラム２との当接箇所に形成される静止層１２０が十分に構成される。従って，クリーニングブレードの磨耗抑制とクリーニング性能の安定化とが図られる。さらに，トナーを上流面６２ａ側，すなわち廃トナーボックス６１に向かって搬送することができ，トナーのカット面６２ｃ付近での滞留を防ぐとともに廃トナーボックス６１への回収を容易にしている。
【００４４】
なお，本実施の形態は単なる例示にすぎず，本発明を何ら限定するものではない。したがって本発明は当然に，その要旨を逸脱しない範囲内で種々の改良，変形が可能である。例えば，画像形成装置としては，プリンタ，複写機，スキャナ，ＦＡＸ等であって電子写真方式にて画像を形成するものであれば適用可能である。また，カラー画像を形成するものであってもモノクロ画像専用のものであってもよい。また，タンデム方式であっても４サイクル方式であってもよい。また，２次転写方式であっても直接転写方式であってもよい。
【図面の簡単な説明】
【００４５】
【図１】第１の形態にかかるカラープリンタの構成を示す概略図である。
【図２】第１の形態にかかる画像形成ユニットの構成を示す概略図である。
【図３】トナーの表面構成を示す概略図である。
【図４】クリーニング装置の構成を示す概略図である。
【図５】クリーニングブレードと感光体ドラムとの当接箇所の概要を示す図である。
【図６】第１の形態にかかるクリーニングブレードのカット面の概要を示す図である。
【図７】第２の形態にかかるクリーニングブレードのカット面の概要を示す図である。
【図８】第２の形態にかかる電極群の配線を示す概略図（ＤＣスイッチング電源）である。
【図９】ＤＣスイッチング電源における経過時間とトナーの進行距離との関係を示すグラフである。
【図１０】第３の形態にかかる電極群の配線を示す概略図（ＡＣ電源）である。
【図１１】ＡＣ電源における経過時間とトナーの進行距離との関係を示すグラフである。
【図１２】シミュレーションで印加した３相交流電源の電圧波形を示す図である。
【符号の説明】
【００４６】
１Ｋ    画像形成ユニット
２      感光体ドラム（像担持体）
３      帯電装置
４      現像装置
６      クリーニング装置
６２    クリーニングブレード
１０    トナー
１１    第１外添剤
１２    第２外添剤
１００  カラープリンタ（画像形成装置）
【図１】
2008197415.tif 000003
【図２】
2008197415.tif 000004
【図３】
2008197415.tif 000005
【図４】
2008197415.tif 000006
【図５】
2008197415.tif 000007
【図６】
2008197415.tif 000008
【図７】
2008197415.tif 000009
【図８】
2008197415.tif 000010
【図９】
2008197415.tif 000011
【図１０】
2008197415.tif 000012
【図１１】
2008197415.tif 000013
【図１２】
2008197415.tif 000014